(57)【要約】【課題】  表示部の視認性を向上するとともに、操作部が不用意に作動しないようにした電子血圧計を提供する。【解決手段】  表示部材４は、本体部材１に対して開かれたときに本体部材１の操作部２，３が外部に対して解放され、閉じられたときに本体部材１の操作部２，３を覆うように本体部材１に対して開閉可能に設置されている。さらに、表示部材４は、開かれたときに開閉方向に対して直交する方向にも回動可能に設けられ、このことにより開いた位置／角度を広範囲で可変にすることができる。【選択図】図１
0003187318.tif 000002
【実用新案登録請求の範囲】
【請求項１】
カフと、血圧値などを表示する表示部を有する表示部材と、血圧測定などに関する作動あるいは設定を行わせる操作部を有する本体部材とを備えた血圧計において、
前記表示部材を前記本体部材に、開閉可能かつ開閉方向に対して直交する方向に回動可能に設置したことを特徴とする血圧計。
【考案の詳細な説明】
【技術分野】
【０００１】
本考案は、電気的に血圧の測定が行われる小型の電子血圧計に関するものである。
【背景技術】
【０００２】
通常の家庭用の電子血圧計では、電源スイッチ釦，加圧スイッチ釦などの操作部と、上下の血圧値などを表示する表示部とが本体部材の表面部分に設けられている構造のものが一般的である。
【０００３】
しかし、家庭用の電子血圧計では、通常、操作部が外表部に露出している構造であるため、使用に際して移動するときに、電源／加圧スイッチ釦が他物に接触して、不用意に加圧動作が開始され、本来簡単なスイッチ操作であるのにリセット操作が必要になることがある。この不要な動作により電池が無駄に消耗されてしまうことにもなる。
【０００４】
また、家庭用の血圧計の表示部は、通常、表面が平坦に形成されている本体部材の表面部分に設置されている構造である。このため、使用者は、測定結果を見るために、本体部材の表示部に合わせて血圧計の位置を移動させたり、使用者が自己の顔など位置／角度を変化させたりしている。
【０００５】
さらに、カフに本体部材が固定されている電子血圧計では、使用者は、カフを介して手首部あるいは腕部の適所に装着されている本体部材の表示部が見やすいように、自己の腕や顔を回したり、ねじったりして、血圧値などが視認しやすい状態にしている。
【０００６】
特許文献１，２に開示されている血圧計では、操作部が設けられている本体部材に対して、表示部が設けられている表示部材を開閉可能に設け、解放角度を調整できる構造にし、使用者において表示が見やすくなるようにしている。
【先行技術文献】
【特許文献】
【０００７】
【特許文献１】特開昭５６−５６３９号公報
【特許文献２】特許第３２９３３６１号公報
【考案の概要】
【考案が解決しようとする課題】
【０００８】
上記特許文献に記載の血圧計は、視認性を向上させようとする意図のものであるが、特許文献１の電子血圧計の構造は、本体部材の長手方向に対して表示部材が開閉するのみであって、本体部材から横方向に位置する使用者にとって、視認性の面からはまだ充分であるとは言えない。
【０００９】
特許文献２の手首血圧計の構造は、本体部材の長手方向に対して表示部材が傾斜状態で開くようになっているが、開状態の傾斜角は一定であるため、使用者の手首部あるいは腕部における本体部材の装着位置／角度によっては、表示部が見難い状態になることもある。
【００１０】
本考案は、上記の従来技術に鑑み、表示部の視認性を向上するとともに、操作部のスイッチ，釦などが不用意に作動しないようにした電子血圧計を提供することを目的とする。
【課題を解決するための手段】
【００１１】
前記目的を達成するため、本考案に係る電子血圧計は、カフと、血圧値などを表示する表示部を有する表示部材と、血圧測定などに関する作動あるいは設定を行わせる操作部を有する本体部材とを備えた血圧計において、前記表示部材を前記本体部材に、開閉可能かつ開閉方向に対して直交する方向に回動可能に設置したことを特徴とする。
【考案の効果】
【００１２】
本考案に係る電子血圧計によれば、非使用では本体部材に対して表示部材を閉じた状態しておくことにより、本体部材の操作部が不用意に他物に接触して動作してしまうことを防ぐことができる。さらに、表示部材を開き、かつ開閉方向に対して直交方向に回動させることにより、使用者自身や他者に対して見やすいように、表示部の位置／角度を広範囲で回動設定することができるため、従来例に比して表示部における血圧測定値の視認性が大幅に向上する。
【図面の簡単な説明】
【００１３】
【図１】本考案に係る電子血圧計の実施形態において、表示部材を開状態にして示す斜視図である。
【図２】本考案に係る電子血圧計の実施形態において、表示部材を閉状態にして示す斜視図である。
【図３】本考案に係る電子血圧計の実施形態において、表示部材を開状態かつ回動した状態にして示す斜視図である。
【考案を実施するための形態】
【００１４】
以下、本考案の好適な実施形態を図面に基づいて説明する。
【００１５】
図１において、１は、電源スイッチ釦，加圧スイッチ釦、各種設定用釦，データ記憶設定用釦などの血圧測定に関する動作を行わせるための操作部（図には２個を示している）２，３が表面側に設置され、内部に血圧測定のための駆動／制御部（図示せず）が設置されている本体部材である。
【００１６】
４は、測定された血圧値，使用者により設定された各種設定値などを表示するバックライト付のＬＣＤ（液晶表示装置）からなる表示部５が表面側に設けられた表示部材である。６は本体部材１に公知のように設けられているカフである。
【００１７】
７は、表示部材４の下部に設けられた支持部材であって、本体部材１の長手方向の一側部両側に設けられた支持部８，８に図示しない受け構造によって回動可能（本体部材１に対して開閉可能：図２の矢印Ｂ方向に回動）に支持されている。９は、支持部材７に表示部材４を、表示部材４が本体部材１の開閉方向（図では本体部材１の長手方向）に対して直交する方向に回動（図１の矢印Ａ方向に回動）することができるように連結している連結部材である。
【００１８】
上記構成により、表示部材４は、図１に示すように、本体部材１の操作部２，３が外部に対して解放されるように開き、また図２に示すように、本体部材１の操作部２，３を覆って閉じるように開閉可能になっている。図２に示す閉状態では、表示部材４の表示部５が本体部材１の操作部２，３に対向した状態になっている。
【００１９】
さらに、表示部材４は、図３に示すように、開状態において本体部材１に対する開閉方向に直交する方向に回動可能であって、回動を止めた位置で停止するようになっている。また、表示部材４と本体部材１とは、支持部材７と連結部材９を通して電気的部材により電気的に連結されてデータの授受が可能になっている。
【００２０】
上記のように、本実施形態において、非使用状態では本体部材１の操作部２，３に対して表示部材４を閉じた閉鎖状態しておくことができるため、本体部材１の操作部２，３が他物に接触して、不用意に動作してしまうことがなくなり、表示部５の損傷防止・保護にも寄与する。
【００２１】
さらに、表示部材４を開き、かつ開閉方向に対して直交方向に回動させることができることから、使用者自身あるいは他者に対して見やすいように表示部５の位置／角度を広い範囲で回動設定することができる。このため、従来例に比して使用者の視認性が大幅に向上する。
【００２２】
なお、本考案において、図面に基づき説明した上記実施形態の構成部材は、説明した形状、配置構造などに限定されるものではなく、意匠，材料などの仕様の変更により様々のものを用いることができる。
【産業上の利用可能性】
【００２３】
本考案は、手首式や上腕式の家庭用の電子血圧計に適用して有効である。
【符号の説明】
【００２４】
１  本体部材
２，３  操作部
４  表示部材
５  表示部
６  カフ
７  支持部材
８，８  支持部
９  連結部材
【図１】
0003187318.tif 000003
【図２】
0003187318.tif 000004
【図３】
0003187318.tif 000005